(57)【要約】【課題】複数台の号機を有する群管理システムにおける省電力化を実現することが可能なエレベータの群管理制御装置を提供することにある。【解決手段】実施形態によれば、エレベータの群管理制御装置は、格納手段と、呼び管理手段と、割当制御手段とを具備する。格納手段は、ホール呼びの登録階から行先階までの過去の交通需要を示す交通需要情報を格納する。呼び管理手段は、エレベータホールに設置された行先階登録装置から登録階及び行先階を含むホール呼びを受け付ける。割当制御手段は、格納手段に格納されている交通需要情報に基づいて、受け付けられたホール呼びに含まれる登録階から行先階までの過去の交通需要に応じた積載量のカウンタウエイトを有する号機を選出し、当該選出された号機を当該ホール呼びに割り当てる。【選択図】図２
2015174725.tif 000002
【特許請求の範囲】
【請求項１】
カウンタウエイトの積載量を変更するための機構が設けられ、積載量が異なるカウンタウエイトを有する複数台の号機の運転を制御するエレベータの群管理制御装置において、
ホール呼びの登録階から行先階までの過去の交通需要を示す交通需要情報を格納する格納手段と、
エレベータホールに設置された行先階登録装置から登録階及び行先階を含むホール呼びを受け付ける呼び管理手段と、
前記格納手段に格納されている交通需要情報に基づいて、前記受け付けられたホール呼びに含まれる登録階から行先階までの過去の交通需要に応じた積載量のカウンタウエイトを有する号機を選出し、当該選出された号機を当該ホール呼びに割り当てる割当制御手段と
を具備することを特徴とするエレベータの群管理制御装置。
【請求項２】
前記格納手段は、所定時間帯毎の交通需要情報を格納し、
前記割当制御手段は、前記格納手段に格納されている前記所定時間帯毎の交通需要情報のうち、前記呼び管理手段によってホール呼びが受け付けられた時間帯の交通需要情報に基づいて、前記過去の交通需要に応じた積載量のカウンタウエイトを有する号機を当該ホール呼びに割り当てる
ことを特徴とする請求項１記載のエレベータの群管理制御装置。
【請求項３】
前記格納手段に格納されている交通需要情報は、前記登録階及び前記行先階毎に、当該登録階から当該行先階までの過去の利用者数を含み、
前記割当制御手段は、
前記受け付けられたホール呼びに含まれる登録階及び行先階に対応づけて前記交通需要情報に含まれる利用者数が、他の登録階及び行先階に対応づけて前記交通需要情報に含まれている利用者数と比較して多い場合には、他の号機よりも積載量の多いカウンタウエイトを有する号機を当該ホール呼びに割り当て、
前記受け付けられたホール呼びに含まれる登録階及び行先階に対応づけて前記交通需要情報に含まれる利用者数が、他の登録階及び行先階に対応づけて前記交通需要情報に含まれている利用者数と比較して少ない場合には、他の号機よりも積載量の少ないカウンタウエイトを有する号機を当該ホール呼びに割り当てる
ことを特徴とする請求項２記載のエレベータの群管理制御装置。
【請求項４】
前記複数台の号機の各々が有するカウンタウエイトの積載量を、予め設定された時間帯に、当該時間帯に応じた積載量に変更するウエイト制御手段を更に具備することを特徴とする請求項１記載のエレベータの群管理制御装置。
【請求項５】
前記予め設定された時間帯は、交通需要が増加する第１の時間帯及び交通需要が減少する第２の時間帯を含み、
前記ウエイト制御手段は、前記第１の時間帯には前記複数台の号機の各々が有するカウンタウエイトの積載量を増加させ、前記第２の時間帯には前記複数台の号機の各々が有するカウンタウエイトの積載量を減少させる
ことを特徴とする請求項４記載のエレベータの群管理制御装置。
【請求項６】
前記割当制御手段は、前記複数台の号機の各々が有するカウンタウエイトの積載量に応じて当該号機が割り当てられるホール呼びの数を調節することを特徴とする請求項１記載のエレベータの群管理制御装置。
【発明の詳細な説明】
【技術分野】
【０００１】
本発明の実施形態は、エレベータの群管理制御装置に関する。
【背景技術】
【０００２】
トラクション式のエレベータでは、巻上機のシーブに巻き架けられたメインのロープの一端部に乗りかごが吊り下げられ、他端部にカウンタウエイトが吊り下げられている。巻上機の駆動によりシーブが回転すると、メインロープを介して乗りかごとカウンタウエイトが互いに反対方向に昇降動作する。
【０００３】
通常、このようなトラクション式のエレベータにおいて、カウンタウエイトの重さは、乗りかごの積載荷重の上限値（つまり、定格荷重）の５０％に釣り合うように定められている。この状態は、オーババランス率（以下、ＯＢ率と表記）５０％と称される。なお、ＯＢ率とは、カウンタウエイトの質量と釣り合う乗りかごの積載率のことをいう。
【０００４】
ここで、ＯＢ率５０％でカウンタウエイトと乗りかごが釣り合っている状態では、巻上機に負荷がかからないため、最も少ない電力で乗りかごを運転することができる。しかしながら、乗りかごの積載荷重は常に一定ではなく、乗客の人数によって変動する。このように乗客の人数の変動によりカウンタウエイトと乗りかごとのバランスが崩れると、例えば乗りかごがカウンタウエイトより重い状態で当該乗りかごを上昇方向に運転する場合に比較的大きな電力を要する。同様に、乗りかごがカウンタウエイトより軽い状態で当該乗りかごを下降方向に運転する場合にも比較的大きな電力を要する。なお、このような電力を必要とする運転は「力行運転」と称される。
【０００５】
一方、乗りかごがカウンタウエイトよりも重い状態で当該乗りかごを下降方向に運転する場合には、乗りかごの重みを利用できるため電力を必要としない。同様に、乗りかごがカウンタウエイトよりも軽い状態で乗りかごを上昇方向に運転する場合にも電力を必要としない。なお、このような電力を必要としない運転は「回生運転」と称される。なお、回生運転で生じた電力は、抵抗で消費する場合と電源側に戻す場合との両方がある。
【０００６】
ここで、近年の省電力化の要求に伴い、カウンタウエイトの積載量を変更可能なエレベータが提案されている。このようなエレベータは、「フレキシブルカウンタウエイト型エレベータ（ＦＣＷ型エレベータ）」と称される。このＦＣＷ型エレベータでは、乗りかごの積載荷重に合わせてカウンタウエイトの積載量を適宜変更することで省電力化を図ることができる。
【０００７】
なお、カウンタウエイトの積載量を変更する方法としては、例えばカウンタウエイトに液体タンクを設け、その液体タンク内に液体を注入あるいは排出する方法や、カウンタウエイトに付加的な錘を着脱可能に取り付ける方法等がある。
【０００８】
ところで、一般にビル等の建物のエレベータホール（乗場）には、ホール呼びを登録するためのホール呼びボタンが設定されている。エレベータの利用者がこのホール呼びボタンを操作すると、乗りかごがホール呼びの登録階に応答する。利用者が乗りかごに乗車し、かご操作盤の行先階呼びボタンを操作すると、行先階が登録され、乗りかごが当該行先階に移動する。
【０００９】
これに対して、近年では、上記したホール呼びボタンとは別に、エレベータホールにて直接行先階を指定可能な装置（以下、行先階登録装置と表記）を備えたエレベータ群管理システムが実用化されている。なお、このようなエレベータ群管理システムは、「行先階制御システム（ＤＣＳ：Destination Control System）」と称される。
【００１０】
この行先階制御システムによれば、エレベータホールで指定された行先階に基づいて最適な号機を割り当てることにより、輸送効率の向上を図ることができる。
【先行技術文献】
【特許文献】
【００１１】
【特許文献１】特開２０１３−０２３３７２号公報
【発明の概要】
【発明が解決しようとする課題】
【００１２】
上記したように行先階制御システムでは輸送効率を向上させることが可能であるが、当該行先階制御システムにおいても省電力化が求められている。
【００１３】
したがって、行先階制御システムのようなエレベータ群管理システムにおいて上記したＦＣＷ型エレベータを適用することによって省電力化を実現することが期待されている。
【００１４】
そこで、本発明が解決しようとする課題は、複数台の号機を有するエレベータ群管理システムにおける省電力化を実現することが可能なエレベータの群管理制御装置を提供することにある。
【課題を解決するための手段】
【００１５】
実施形態によれば、カウンタウエイトの積載量を変更するための機構が設けられ、積載量が異なるカウンタウエイトを有する複数台の号機の運転を制御するエレベータの群管理制御装置が提供される。このエレベータの群管理制御装置は、格納手段と、呼び管理手段と、割当制御手段とを具備する。格納手段は、ホール呼びの登録階から行先階までの過去の交通需要を示す交通需要情報を格納する。呼び管理手段は、エレベータホールに設置された行先階登録装置から登録階及び行先階を含むホール呼びを受け付ける。割当制御手段は、前記格納手段に格納されている交通需要情報に基づいて、前記受け付けられたホール呼びに含まれる登録階から行先階までの過去の交通需要に応じた積載量のカウンタウエイトを有する号機を選出し、当該選出された号機を当該ホール呼びに割り当てる。
【図面の簡単な説明】
【００１６】
【図１】実施形態におけるエレベータの全体構成を示す図。
【図２】本実施形態に係るエレベータの群管理制御装置を備えるエレベータ群管理システムの構成を示すブロック図。
【図３】図２に示す格納部４１に格納されているＯＤ表のデータ構造の一例を示す図。
【図４】本実施形態に係るエレベータの群管理制御装置の処理手順を示すフローチャート。
【発明を実施するための形態】
【００１７】
以下、図面を参照して、実施形態について説明する。
【００１８】
図１は、本実施形態におけるエレベータの全体構成を示す図であり、ここではフレキシブルカウンタウエイト（ＦＣＷ）を備えたエレベータ（以下、ＦＣＷ型エレベータと表記）の構成が概略的に示されている。
【００１９】
このＦＣＷ型エレベータは昇降路１１内に乗りかご１２とカウンタウエイト（吊り合い錘）１３とを有しており、それぞれがガイドレール（図示せず）に昇降動作可能に支持されている。乗りかご１２及びカウンタウエイト１３は、ロープ１４で接続されており、巻上機１５の駆動により、互いに反対方向に昇降動作する。
【００２０】
図１に示す例では、２：１ローピング形式で乗りかご１２とカウンタウエイト１３とが支持されており、ロープ１４の一端は昇降路１１の上部にヒッチ１６により固定されている。一方、ロープ１４の他端側は、乗りかご１２の底部に設けられたシーブ１７を介して巻上機１５に巻き架けられている。巻上機１５に巻き架けられたロープ１４の他端は、カウンタウエイト１３に設けられたシーブ１８を介して昇降路１１の上部にヒッチ１９により固定されている。
【００２１】
ここで、カウンタウエイト１３には、積載量を変更するための機構が設けられている。具体的には、カウンタウエイト１３の上部にサブウエイト搭載部２０が設けられており、このサブウエイト搭載部２０にはサブウエイト供給部２１から供給される少なくとも１つ以上のサブウエイト２２が積載される。また、このサブウエイト供給部２１は、サブウエイト搭載部２０に積まれたサブウエイト２２を回収する機能も兼ね備えている。
【００２２】
サブウエイト供給部２１は、例えば昇降路１１の最上部付近に設定されている。カウンタウエイト１３の積載量を変更するときは、乗りかご１２を下降させ、カウンタウエイト１３をサブウエイト供給部２１の設置位置まで移動させる。この状態で、サブウエイト供給部２１の駆動機構（図示せず）が動作し、サブウエイト２２が１つずつサブウエイト搭載部２０に供給されるか、あるいは、サブウエイト搭載部２０に積載されたサブウエイト２２が回収される。
【００２３】
すなわち、本実施形態におけるＦＣＷ型エレベータにおいて、カウンタウエイト１３の積載量を変更するためには、当該ＦＣＷ型エレベータ（乗りかご１２）を、カウンタウエイト１３の積載量を変更可能な所定の階床（例えば、最下階）に着床（移動）させる必要があるものとする。
【００２４】
なお、サブウエイト搭載部２０及びサブウエイト供給部２１等の各機能の具体的な構成については本実施形態とは直接関係しないため、ここではその詳しい説明を省略する。
【００２５】
図２は、本実施形態に係るエレベータの群管理制御装置（以下、単に群管理制御装置と表記）を備えるエレベータ群管理システムの構成を示すブロック図である。エレベータ群管理システムは、例えばビルのような建物内に並設された複数台のエレベータを有する。この複数台のエレベータの各々は、上述した図１に示すＦＣＷ型エレベータである。
【００２６】
なお、以下の説明では、エレベータ群管理システムが有する各エレベータを便宜的に号機と称する。また、図２に示す例では、群管理システムが３台の号機（Ａ〜Ｃ号機）を有する構成が示されているが、エレベータ群管理システムが有する号機の台数は、２台であってもよいし、４台以上であってもよい。
【００２７】
また、本実施形態におけるエレベータ群管理システムは、例えばエレベータホールで指定された行先階に基づいて最適な号機を割り当てることが可能な行先階制御システム（ＤＣＳ：Destination Control System）であるものとする。
【００２８】
図２に示すように、本実施形態におけるエレベータ群管理システムは、行先階登録装置３０、群管理制御装置４０及びエレベータ制御装置５０ａ〜５０ｃ等を備える。
【００２９】
行先階登録装置３０は、例えば各階のうちの少なくとも基準階（例えば、１階）のエレベータホールに設置され、群管理制御装置４０と接続されている。行先階登録装置３０は、エレベータホールにて利用者の行先階を登録するための装置であり、操作部３１及び表示部３２を有する。操作部３１は、利用者がボタン操作により行先階を登録（入力）する部分である。なお、行先階の登録は、ボタン操作に限らず、ＩＤカードに予め記録された行先階を読み込ませることによって行われてもよい。表示部３２は、行先階に対して割り当てられた号機の情報を表示する。
【００３０】
また、例えば各号機の昇降路１１とエレベータホールとの間の出入口を開閉するホールドアの付近には、当該各号機に対応させて図示しない表示器やスピーカ等が設置されている。これらの表示器及びスピーカは、行先階と号機との関係をエレベータホールで待機する利用者に通知するための機器として用いられる。
【００３１】
群管理制御装置４０は、例えばホール呼びに応答して各号機の運転を制御する（つまり、群管理制御する）ための装置である。なお、「ホール呼び」とは、上記した行先階登録装置３０（の操作部３１）に対する利用者の操作により登録される呼びの信号のことである。このホール呼びには、登録階（利用者によって操作された行先階登録装置３０が設置されている階）及び行先階（当該行先階登録装置３０によって登録された階）の情報が含まれる。
【００３２】
群管理制御装置４０は、格納部４１、ウエイト制御部４２、呼び管理部４３及び割当制御部４４を含む。ここでは、これらの各部４１〜４４の全てが群管理制御装置４０に含まれるものとして説明するが、当該各部４１〜４４は、複数の装置に分散されるように構成されても構わない。
【００３３】
格納部４１においては、後述するように各号機のカウンタウエイト１３の積載量（以下、Ｃ／Ｗ積載量と表記）が変更される時間帯（以下、Ｃ／Ｗ変更時間帯と表記）が予め設定（格納）されている。このＣ／Ｗ変更時間帯には、例えばビル内の交通需要が増加する時間帯（つまり、各号機の利用状況が通常状態混雑状態に変わる時間帯）及び当該ビル内における交通需要が減少する時間帯（つまり、各号機の利用状況が混雑状態から通常状態に変わる時間帯）等が含まれる。なお、Ｃ／Ｗ変更時間帯は、群管理制御装置４０の管理者等によって設定されてもよいし、例えばビル内の過去の交通状況（エレベータ群管理システムにおける学習記録データ）等に基づいて動的に設定されても構わない。
【００３４】
また、格納部４１には、上記したビル内における交通需要が増加するまたは減少する各時間帯に応じた各号機のＣ／Ｗ積載量（の値）が格納されている。具体的には、上記したようにエレベータ群管理システムがＡ〜Ｃ号機を有する場合、ビル内の交通需要が増加する時間帯に対応する当該Ａ〜Ｃ号機のＣ／Ｗ積載量としては、それぞれ乗りかご１２の定格荷重（積載荷重の上限値）の５０％、６０％及び７０％に釣り合う積載量が設定されているものとする。また、ビル内の交通需要が減少する時間帯に応じたＡ〜Ｃ号機のＣ／Ｗ積載量としては、それぞれ乗りかご１２の定格荷重の３０％、４０％及び５０％に釣り合う積載量が設定されているものとする。すなわち、本実施形態に係る群管理制御装置４０は、それぞれ積載量が異なるカウンタウエイト１３を有する複数台の号機の運転を制御するものとする。
【００３５】
更に、格納部４１には、ビル内におけるホール呼びの登録階から行先階までの過去の交通需要を示す交通需要情報が格納される。この交通需要情報には、例えばＯＤ（Origin Destination）表が含まれる。なお、ＯＤ表の詳細については後述する。また、格納部４１には、現在の各号機のＣ／Ｗ積載量の情報も格納される。
【００３６】
ウエイト制御部４２は、各号機のエレベータ制御装置５０ａ〜５０ｃを介して、当該各号機のＣ／Ｗ積載量を変更する制御を行う。
【００３７】
具体的には、号機毎に図１に示すカウンタウエイト１３をサブウエイト供給部２１の設置位置まで移動させ、サブウエイト２２を増減させることによりＣ／Ｗ積載量を変更する。なお、各号機のＣ／Ｗ積載量の変更は、上記したように当該号機（乗りかご１２）が最下階等の所定の階床に着床した場合に行うことができる。
【００３８】
また、ウエイト制御部４２による各号機のＣ／Ｗ積載量の変更は、上記したＣ／Ｗ変更時間帯（例えば、ビル内の交通需要が増加するまたは減少する時間帯）において、格納部４１に格納されている当該Ｃ／Ｗ変更時間帯に応じた各号機のＣ／Ｗ積載量に基づいて行われる。
【００３９】
なお、Ｃ／Ｗ積載量が例えば乗りかご１２の定格荷重の５０％と釣り合う状態は、オーババランス率（以下、ＯＢ率と表記）５０％と称される。ここでは、Ｃ／Ｗ積載量が例えば乗りかご１２の定格荷重の５０％と釣り合う状態について説明したが、他の場合も同様である。
【００４０】
呼び管理部４３は、上記した行先階登録装置３０に対する利用者の操作に応じて、登録階及び行先階を含むホール呼びを受け付ける。また、呼び管理部４３は、受け付けられたホール呼びを当該ホール呼びが受け付けられた時刻とともに管理することによって、エレベータ群管理システムにおける学習記録データを例えば格納部４１等に蓄積する。更に、呼び管理部４３は、蓄積された学習記録データに基づいて過去の交通需要を示す交通需要情報（ＯＤ表）の作成等を行う。
【００４１】
割当制御部４４は、格納部４１に格納されている交通需要情報に基づいて、呼び管理部４３によって受け付けられたホール呼びに対して複数台の号機のうちの１つの号機を割り当てる。この場合、割当制御部４４は、呼び管理部４３によって受け付けられたホール呼びに含まれる登録階から当該ホール呼びに含まれる行先階までの過去の交通需要に応じた積載量のカウンタウエイトを有する号機を、当該ホール呼びに割り当てる。
【００４２】
なお、本実施形態におけるエレベータ群管理システム（ＤＣＳ）によれば、エレベータホール（に設置されている行先階登録装置３０）で登録された行先階毎に利用者をまとめて乗車させるように各号機の運転が制御され、当該行先階と異なる階での停止回数を低減させるものとする。このような制御によれば、例えば呼び管理部４３によって受け付けられたホール呼びに対して１つの号機が割り当てられた後に当該ホール呼びと同一の登録階及び行先階を含む他のホール呼びが受け付けられた場合には、当該他のホール呼びに対しても同一の号機が割り当てられる。
【００４３】
エレベータ制御装置５０ａ〜５０ｃは、各号機（Ａ〜Ｃ号機）に対応して設けられており、群管理制御装置４０からの指示に従って当該各号機の巻上機１５の駆動制御、ドアの開閉及びＣ／Ｗ積載量の変更等に関する号機単体での制御を行う。
【００４４】
図３は、図２に示す格納部４１に格納されているＯＤ表（交通需要情報）のデータ構造の一例を示す。上記したようにＯＤ表は、ビル内における過去の交通需要を示すものである。
【００４５】
図３に示すように、ＯＤ表は、複数の行及び列で表現される。このＯＤ表において、行はホール呼びの登録階（つまり、乗車階）を示し、列は行先階（つまり、降車階）を示す。
【００４６】
また、ＯＤ表は、登録階（行）及び行先階（列）に対応づけて当該登録階から行先階までの過去の利用者数を含む。
【００４７】
なお、本実施形態におけるエレベータ群管理システム（ＤＣＳ）は、上記した行先階登録装置３０に対する利用者の操作に応じて登録される各ホール呼びについて登録階及び行先階を把握することができるため、図３に示すようなＯＤ表を群管理制御装置４０（に含まれる呼び管理部４３）において管理することができる。
【００４８】
また、このＯＤ表は、上記したように蓄積された学習記録データ等に基づいて、過去に受け付けられたホール呼び（に含まれる登録階及び行先階）を所定時間帯毎に集計することによって作成されるものとする。換言すれば、格納部４１には、所定時間帯毎のＯＤ表が格納されているものとする。
【００４９】
図３に示すＯＤ表には、例えば１階（登録階）及び２階（行先階）に対応づけて２が含まれている。これによれば、所定時間帯に、１階で乗車して２階で降車した利用者数が２名であることが示されている。同様に、図３に示すＯＤ表によれば、所定時間帯に、１階で乗車して３階で降車した利用者数は０名であり、当該１階で乗車して４階で降車した利用者数は５名であり、当該１階で乗車して５階で降車した利用者数は９名であることが示されている。
【００５０】
なお、ここでは登録階が１階である場合について説明したが、登録階が他の階である場合についても同様であるため、その詳しい説明を省略する。
【００５１】
次に、本実施形態に係る群管理制御装置４０の動作について説明する。まず、上述したＣ／Ｗ変更時間帯となった場合、群管理制御装置４０に含まれるウエイト制御部４２は、エレベータ制御装置５０ａ〜５０ｃを介して、各号機（ここでは、Ａ〜Ｃ号機）のＣ／Ｗ積載量を、格納部４１に格納されている当該Ｃ／Ｗ変更時間帯に応じた各号機のＣ／Ｗ積載量に変更する。具体的には、ビル内の交通需要が増加する時間帯となった場合には、Ａ〜Ｃ号機のＣ／Ｗ積載量は、それぞれ乗りかご１２の定格荷重の５０％、６０％及び７０％に釣り合う積載量に変更される。一方、ビル内の交通需要が減少する時間帯となった場合には、Ａ〜Ｃ号機のＣ／Ｗ積載量は、それぞれ乗りかご１２の定格荷重の３０％、４０％及び５０％に釣り合う積載量に変更される。
【００５２】
なお、各号機のＣ／Ｗ積載量は上記したように当該号機が所定の階床に着床した場合に変更することができるが、当該各号機のＣ／Ｗ積載量の変更は、ビル内における交通状況等に基づいて利用者による各号機の利用を妨げないように順次行われるものとする。
【００５３】
また、ウエイト制御部４２によって変更された後の各号機のカウンタウエイト１３の積載量は、格納部４１に格納される。
【００５４】
以下、図４のフローチャートを参照して、上記したように各号機のＣ／Ｗ積載量が変更された後に、行先階登録装置３０に対する利用者の操作によりホール呼びが登録された場合について説明する。なお、格納部４１には、上記したように過去のホール呼びを所定時間帯毎に集計することによって作成されたＯＤ表（以下、所定時間帯に対応するＯＤ表と表記）が格納されているものとする。
【００５５】
この場合、群管理制御装置４０に含まれる呼び管理部４３は、上記したように行先階登録装置３０に対する利用者の操作により登録されたホール呼びを受け付ける（ステップＳ１）。ここで受け付けられたホール呼び（以下、対象ホール呼びと表記）には、登録階及び行先階（の情報）が含まれる。なお、以下の説明においては、対象ホール呼びに含まれる登録階を指定登録階、当該対象ホール呼びに含まれる行先階を指定行先階と称する。
【００５６】
割当制御部４４は、格納部４１からＯＤ表（交通需要情報）を取得する（ステップＳ２）。この場合、割当制御部４４は、対象ホール呼びが受け付けられた時刻を含む所定時間帯に対応するＯＤ表を取得する。具体的には、対象ホール呼びが受け付けられた時刻が午前１０時３０分である場合には、割当制御部４４は、例えば午前１０時から午前１１時の時間帯に対応するＯＤ表を取得する。なお、対象ホール呼びが受け付けられた時刻は、例えば群管理制御装置４０が有する計時（時計）機能等によって取得可能であるものとする。
【００５７】
次に、割当制御部４４は、Ｃ／Ｗ積載量がそれぞれ異なる複数台の号機のうち、取得されたＯＤ表によって示される指定登録階から指定行先階までの過去の交通需要に応じた積載量のカウンタウエイト１３を有する号機を選出する（ステップＳ３）。この場合、指定登録階及び指定行先階に対応づけてＯＤ表に含まれる利用者数が、当該ＯＤ表に含まれている他の利用者数（つまり、他の登録階及び行先階に対応づけられている利用者数）と比較して多い場合には、他の号機よりも積載量の多いカウンタウエイト１３を有する号機が選出される。一方、指定登録階及び指定行先階に対応づけてＯＤ表に含まれる利用者数が、当該ＯＤ表に含まれている他の利用者数と比較して少ない場合には、他の号機よりも積載量の少ないカウンタウエイト１３を有する号機が選出される。なお、現在の各号機のＣ／Ｗ積載量は、上記したように格納部４１に格納されている。
【００５８】
ここで、ステップＳ３の処理について図２及び図３を参照して具体的に説明する。ここでは、図２に示すようにエレベータ群管理システムがＡ〜Ｃ号機を有しているものとする。また、ステップＳ２においては、図３に示すＯＤ表が取得されたものとする。なお、Ａ〜Ｃ号機のＣ／Ｗ積載量は、例えば上記した乗りかご１２の定格荷重の５０％、６０％及び７０％に釣り合う積載量に変更されているものとする。
【００５９】
この場合において、例えば登録階「１階」及び行先階「５階」を含むホール呼び（以下、第１のホール呼びと表記）が呼び管理部４３によって受け付けられたものとする。この場合、図３に示すＯＤ表によれば、登録階「１階」及び行先階「５階」に対応づけられている利用者数は９名である。この利用者数は、ＯＤ表に含まれるすべての利用者数の中で最大である。この場合には、Ａ〜Ｃ号機のうち、Ｃ／Ｗ積載量が最も多いＣ号機が選出されるものとする。
【００６０】
次に、例えば登録階「１階」及び行先階「４階」を含むホール呼び（以下、第２のホール呼びと表記）が呼び管理部４３によって受け付けられたものとする。この場合、図３に示すＯＤ表によれば、登録階「１階」及び行先階「４階」に対応づけられている利用者数は５名である。この利用者数は、ＯＤ表に含まれる他の利用者数と比較すると、上記した登録階「１階」及び行先階「５階」に対応づけられている利用者数の次に多い。この場合には、Ａ〜Ｃ号機のうち、Ｃ／Ｗ積載量が２番目に多いＢ号機が選出されるものとする。
【００６１】
更に、例えば登録階「１階」及び行先階「２階」を含むホール呼び（以下、第３のホール呼び）が呼び管理部４３によって受け付けられたものとする。この場合、図３に示すＯＤ表によれば、登録階「１階」及び行先階「２階」に対応づけられている利用者数は２名である。この利用者数は、ＯＤ表に含まれる他の利用者数と比較すると、上記した登録階「１階」及び行先階「５階」に対応づけられている利用者数及び登録階「１階」及び行先階「４階」に対応づけられている利用者数よりも少ない。この場合には、Ａ〜Ｃ号機のうち、Ｃ／Ｗ積載量が最も少ないＡ号機が選出されるものとする。
【００６２】
なお、登録階「１階」及び行先階「２階」を含む第３のホール呼びが呼び管理部４３によって受け付けられた場合にはＡ号機が選出されるものとして説明したが、上記した第１及び第２のホール呼び以外のホール呼び（つまり、利用者数が３番目以降である登録階及び行先階を含むホール呼び）であれば、Ａ号機が選出されるものとする。
【００６３】
なお、このような号機の選出方法は、本実施形態におけるエレベータ群管理システム（ＤＣＳ）が行先階毎に利用者をまとめて乗車させるように各号機の運転を制御する点を考慮したものである。すなわち、本実施形態においては、過去の交通需要に応じて乗車する利用者数が多いと予測される行先階を含むホール呼びに対してはＣ／Ｗ積載量の多い号機が選出され、乗車する利用者数が少ないと予測される行先階を含むホール呼びに対してはＣ／Ｗ積載量の少ない号機が選出される。
【００６４】
なお、ここで説明した号機の選出方法は一例であり、例えば指定登録階及び指定行先階に対応づけてＯＤ表に含まれる利用者数に基づいて算出される乗りかご１２の積載荷重（の予測値）と釣り合う（または差分の小さい）積載量のカウンタウエイト１３を有する号機が選出されるような構成であってもよい。すなわち、本実施形態は、それぞれ積載量が異なるカウンタウエイト１３を有する複数台の号機のうち、過去の交通需要に応じた積載量のカウンタウエイト１３を有する１つの号機が選出されるような構成であればよい。
【００６５】
再び図４に戻ると、割当制御部４４は、選出された号機を対象ホール呼びに割り当てる（ステップＳ４）。この場合、割当制御部４４は、対象ホール呼びに割り当てられた号機を指定登録階に応答させる。これによれば、対象ホール呼びに割り当てられた号機は、群管理制御装置４０の制御に基づいて運転され、指定登録階に移動する。
【００６６】
なお、本実施形態におけるエレベータ群管理システム（ＤＣＳ）によれば、上記したように割当制御部４４によって対象ホール呼びに号機が割り当てられると、行先階登録装置３０の表示部３２に当該号機の情報（例えば、Ａ号機等の文字情報）が表示され、上記した当該号機に対応した表示器（図示せず）には行先階の情報（例えば、５階等の文字情報）が表示される。利用者は、この表示に従って、乗車すべき号機の到着を待つ。なお、既に行先階の登録は済んでいるため、乗車した号機（乗りかご１２）内での行先階の登録操作は不要である。
【００６７】
上記したように本実施形態においては、エレベータ群管理システムが積載量が異なるカウンタウエイト１３を有する複数台の号機を有し、登録階及び行先階を含むホール呼びが受け付けられた場合、当該ホール呼びに含まれる登録階から当該ホール呼びに含まれる行先階までの過去の交通需要に応じた積載量のカウンタウエイト１３を有する号機を当該ホール呼びに割り当てる。
【００６８】
具体的には、本実施形態においては、受け付けられたホール呼びに含まれる登録階及び行先階に対応づけてＯＤ表（交通需要情報）に含まれる過去の利用者数が、他の階の利用者数と比較して多い場合には、他の号機よりも積載量の多いカウンタウエイト１３を有する号機を当該ホール呼びに割り当てる。また、受け付けられたホール呼びに含まれる登録階及び行先階に対応づけてＯＤ表に含まれる過去の利用者数が、他の階の利用者数と比較して少ない場合には、他の号機よりも積載量の少ないカウンタウエイトを有する号機を当該ホール呼びに割り当てる。
【００６９】
本実施形態においては、このような構成により、過去の交通需要に基づいて予測される乗りかご１２の積載荷重（利用者数）と差分の小さい積載量のカウンタウエイト１３を有する号機をホール呼びに割り当てることができるため、当該号機の運転に要する電力を低減させ、エレベータ群管理システムにおける省電力化を実現することが可能となる。
【００７０】
また、本実施形態においては、複数台の号機の各々のＣ／Ｗ積載量を、Ｃ／Ｗ変更時間帯に応じた積載量に変更する。具体的には、本実施形態においては、例えばビル内の交通需要が増加する時間帯（第１の時間帯）には複数台の号機の各々のＣ／Ｗ積載量を増加させ、当該ビル内の交通需要が減少する時間帯（第２の時間帯）には当該複数台の号機の各々のＣ／Ｗ積載量を減少させる。これにより、本実施形態においては、各時間帯の交通需要に適したＯＢ率で各号機を運転することが可能となるため、省電力化を図ることができる。
【００７１】
なお、上述したように、例えばビル内の交通需要が減少する時間帯においては、各号機（例えば、Ａ〜Ｃ号機）のＣ／Ｗ積載量はそれぞれ乗りかご１２の定格荷重の３０％、４０％及び５０％に釣り合う積載量に変更される。ここで、一般的に、Ｃ／Ｗ積載量は乗りかご１２の定格荷重の５０％に釣り合うように定められている。このため、例えばＣ／Ｗ積載量が乗りかご１２の定格荷重の３０％及び４０％に釣り合う積載量に変更された号機では、本来の定員まで利用者が乗車することができない可能性がある。
【００７２】
これに対して、本実施形態におけるエレベータ群管理システム（ＤＣＳ）では、行先階登録装置３０に対する各利用者の操作に応じてエレベータホールでの乗車人数や行先階等を把握することにより、各号機に乗車する利用者数を調節することが可能である。すなわち、本実施形態においては、群管理制御装置４０が複数台の号機の各々のＣ／Ｗ積載量に応じて当該号機が割り当てられるホール呼びの数（つまり、当該号機に乗車する利用者の数）を調節するような制御が行われるものとする。これによれば、ホール呼びに割り当てられた号機が当該ホール呼びに含まれる登録階に着床した場合に利用者が乗車できない事態を回避することが可能となる。このような制御は単に積載量が異なる複数台の号機に対する群管理制御と近いものであるが、本実施形態においてはＣ／Ｗ変更時間帯に応じてカウンタウエイト１３の積載量を変更可能な構成であるから、例えばビル内の交通需要が増加する時間帯（つまり、混雑時）や当該ビル内の交通需要が減少する時間帯（つまり、閑散時）等における幅広い需要に対応することがである。
【００７３】
なお、本実施形態においては複数台の号機のＣ／Ｗ積載量がそれぞれ異なるものとして説明したが、例えば当該複数台の号機のうちの少なくとも１つのＣ／Ｗ積載量が他の号機のＣ／Ｗ積載量よりも多いまたは少ないような構成であっても構わない。
【００７４】
また、本実施形態においては、エレベータ群管理システムが有する複数台の号機（エレベータ）がサブウエイト２２を増減させることによりＣ／Ｗ積載量を変更可能なＦＣＷ型エレベータであるものとして説明したが、当該複数台の号機は、カウンタウエイト１３に設けられた液体タンク内に液体を注入あるいは排出することによりＣ／Ｗ積載量を変更可能なＦＣＷ型エレベータであっても構わない。
【００７５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。  
【符号の説明】
【００７６】
１１…昇降路、１２…乗りかご、１３…カウンタウエイト、１４…ロープ、１５…巻上機、１６…ヒッチ、１７…シーブ、１８…シーブ、１９…ヒッチ、２０…サブウエイト搭載部、２１…サブウエイト供給部、２２…サブウエイト、３０…行先階登録装置、３１…操作部、３２…表示部、４０…群管理制御装置、４１…格納部、４２…ウエイト制御部、４３…呼び管理部、４４…割当制御部、５０ａ，５０ｂ，５０ｃ…エレベータ制御装置
【図１】
2015174725.tif 000003
【図２】
2015174725.tif 000004
【図３】
2015174725.tif 000005
【図４】
2015174725.tif 000006